(57)【要約】  両端が固定されて張られた弦を備えた弦楽器の音響特性、特に残響を改善する方法であって、少なくとも１本の弦の少なくとも一端においては、第１の素材にて構成された固定装置と前記弦の間に、第２の素材にて構成された要素が取り付けられ、この要素の弦を弾いた際に発生する可聴域の周波数の音波に関する伝導性および吸収性が、第１の素材の同じ周波数域の伝導性および吸収性より低く、前記要素で弦を被覆することによって弦が固定装置に接触しない構造になっている方法を示している。ギター、特にエレキギターまたはエレキベースに使用する新しい固定プレート、およびこの新型の固定プレートを備えたギターまたはベースも示している。【選択図】図３
2007537471.tif 000002
【特許請求の範囲】
【請求項１】
両端が固定されて張られた弦を備え、少なくとも１本の弦の少なくとも一端は、第１の素材にて構成された固定装置と弦との間に、第２の素材にて構成された要素が取り付けられ、この要素の弦を弾いた際に発生する可聴域の周波数の音波に関する伝導性および吸収性は、第１の素材の同じ周波数域の伝導性および吸収性より低く、前記要素で弦を被覆することによって弦が固定装置に接触しない構造にして弦楽器の音響特性、特に残響を改善する方法。
【請求項２】
金属製の固定装置は、セラミック材料、プラスチック材料、ガラス材料、またはこれらを組み合わせた材料の要素が、固定装置と弦との間に取り付けられていることを特徴とする請求項１の方法。
【請求項３】
ボディ、ネック、ヘッドおよび弦を備えたギター、特にエレキギターまたはエレキベースの場合は、前記ボディに取り付けられ第１の素材にて構成された固定プレート内に孔を設け、この孔内で前記ボディに取り付けられた弦の端部が、この弦の端部に設けたボールエンドとしての太部にて固定され、第２の素材にて構成されたスリーブが挿入されて、少なくとも前記固定プレートに固定されている弦の端部の太部が前記スリーブに接触し、かつ前記スリーブの素材によって前記固定プレートから保護されていることを特徴とする請求項１または２の方法。
【請求項４】
前記孔内では、前記孔の全長に亘って延伸するスリーブが挿入されていることを特徴とする請求項３の方法。
【請求項５】
ギター、特にエレキギター(１)またはエレキベースの固定プレートであって、第１の素材にて構成された固定プレート(５)を貫通し、ギター(１)またはエレキベースに張られた弦(6a〜6f)それぞれのボールエンドとしての太部(10)を備えた端部を固定する孔(９)を備え、これら各孔(９)には、少なくとも弦の端部の太部(10)がスリーブ(11)に接触し、スリーブ(11)にて固定プレート(５)の第１の素材から隔てられて取り付けられ、スリーブ(11)は、弦(6a〜6f)を弾いた際に発生する可聴周波数域の音波に関する伝導性および吸収性が、第１の素材の同じ周波数帯の伝導性および吸収性より低い第２の素材で構成されていることを特徴とする固定プレート。
【請求項６】
固定プレートは金属製で、少なくとも１つのスリーブ(11)は、セラミック材料、プラスチック材料、ガラス材料、またはこれらを組み合わせた材料製であることを特徴とする請求項５の固定プレート。
【請求項７】
少なくとも１つのスリーブ(11)の縦方向は、孔(９)の全長に沿って延伸していることを特徴とする請求項５または６の固定プレート。
【請求項８】
各孔(９)内のそれぞれには、１つのスリーブ(11)が取り付けられていることを特徴とする請求項４ないし６いずれか１つの固定プレート。
【請求項９】
ギター(１)またはエレキベースのヘッドに取り付けられた請求項５ないし８いずれか１つの固定プレート(５)を備えたギター、特にエレキギターまたはエレキベース。
【発明の詳細な説明】
【技術分野】
【０００１】
本発明は、弦楽器の音響特性、特に残響を改善する方法に関する。また、本発明は、ギター、特にエレキギターまたはエレキベースの各弦の一端を固定し、ギターまたはエレキベースの音響特性、特に残響を改善する固定プレートに関する。
【背景技術】
【０００２】
弦が張られた弦楽器では、弦を弾くと予め決まった周波数の振動が発生し、その周波数に対応した音が発生する。この場合、張られている弦の両端は固定され、通常は各弦の一方の端部が調整不可能、またはごく僅かしか調整できない状態で固定されているのに対し、もう一方の端部は、ペグポストやその他の装置に巻き取られ、弦の長さや張力が調整できるようになっている。
【０００３】
ギター、特にエレキギターまたはエレキベースの全体は、ボディ、ネックおよびヘッドにて構成されている。楽器の音を生み出す弦は、ヘッドからネックを経てボディまでに亘って張られている。弦の一端は、楽器のボディに取り付けられた固定プレートに固定され、エレキギターでは、この固定プレートがいわゆるトレモロシステムブロックになっている場合が多い。弦は、固定プレートからボディに沿ってネックを経てヘッドまで延伸し、ヘッド部分でペグポストに巻き取られている。ペグポストを回すことによって弦を緩め、また逆に張力を高めることもでき、この操作にて調弦される。
【０００４】
固定プレートで、弦は通常、弦の手前の端に設けられた太部、いわゆるボールエンドと、固定プレートに開けられた孔内のエッジとで固定されている。弦は、前記孔を貫通し、固定プレート上の方向転換器で方向が変えられて、ボディおよびネックを経てヘッドまで延伸している。
【０００５】
従来のギターまたはエレキベースでは、通常、固定プレートが金属製になっており、また一定の間隔で、弦の本数に対応した数の孔が開けられ、これらの孔に弦の端を固定するようになっている。
【０００６】
この種の楽器を演奏する演奏家の間では、楽器の残響、特にいわゆるサステインを良くして欲しい、すなわち弦を弾いた際に得られる音が直ちに消失せず、むしろ極力長く残るようにして欲しいという要望が極めて強い。中価格帯または低価格帯の「通常」のギター、特にエレキギターやエレキベースでは、そうした残響効果が希望するほど得られないのが実情である。このため、特に趣味で演奏するホビーミュージシャンにとっては、残響を改善する特殊構造の極めて高額な楽器を購入することは容易ではなく、所有する楽器にそうした残響効果を求めることはできなくなっている。
【０００７】
同様に、ハープ、ピアノまたはその他の弦楽器類においても残響を改善したいという要望が多いが、弦の振動は減衰するため十分な残響を得ることができないのが実情である。
【発明の開示】
【発明が解決しようとする課題】
【０００８】
このため、本発明は、弦楽器、特にギター、中でもエレキギターやエレキベースの残響特性、特に残響を改善する容易な方法を提供することを課題としている。
【課題を解決するための手段】
【０００９】
この課題を、請求項１で示した方法で解決している。また、ギター、特にエレキギターやエレキベース用の請求項５の特徴を有する改良型の固定プレートも示している。
【００１０】
この方法の好ましい実施例は、従属項である請求項２〜４、および請求項５〜８の特徴を有する固定プレートで示している。最終的に、請求項９では、本発明に対応した改良型の固定プレートを備えたギター、特にエレキギターまたはエレキベースを示している。
【発明の効果】
【００１１】
本発明の核となったのは意外な発見であったが、この発見とは、固定装置の素材とは異なる要素で、弦楽器の少なくとも１つの弦の一端を固定し、弦を弾いた際に発生する可聴周波数域の音波に関する伝導性や吸収性が低い素材を、弦と固定装置との間に取り付けることにより、弦の残響が後振動でも大幅に長くなるということである。発明者は、他の分野のエレキギターの改良に関する一連の開発プロセスの中で、この事実を発見し、本発明の基礎となる知識を得た。本発明の用途や使用領域は、発明者が認識したエレキギターや、同種の弦楽器だけに限定されず、弦楽器全般に及ぶ。
【００１２】
本発明の現時点での理解に基づくと、弦楽器の残響を改善するには、通常であれば固定プレートの素材に直接接触する弦から、直接固定プレートの素材に振動が伝わり、そこで振動が減衰するように本発明の要素を取り付ける。本発明の要素を間に設置すると、固定プレートの素材が有する弦の振動を受け止める性能や減衰特性が低下し、弦の振動が長くなる。さらに、この要素は、少なくとも固定装置の領域内であって、通常であれば弦が固定装置の素材と接触しているところを、本発明では弦が前記要素と接触した状態になっていることが極めて重要である。
【００１３】
本発明の要素を使用した場合に得られるさらに別の利点として、倍音も一層明瞭に聞こえるようになり、また従来であれば減衰するため直ちに失われていた倍音が、弦楽器の音響の中で共鳴するようになることが挙げられる。この結果、弦楽器の音響全体がより濃密になり、弦楽器の音響特性も一層改善される。
【００１４】
請求項２および請求項６では、固定装置、具体的に固定プレート、特にトレモロシステムブロックになっている固定プレートなどの場合に、固定装置と弦との間に、セラミック材料、プラスチック材料、ガラス材料、またはこれらを組み合わせた材料製の要素を取り付けることにより、一層効果的であることが分かる。
【００１５】
請求項３では、ギター、特にエレキギターおよびエレキベースで本発明を使用する場合の具体的な方法を示している。固定プレートは、特にエレキギターの場合に多いトレモロシステムブロックにすることも可能である。
【００１６】
請求項４および請求項７では、固定プレートの孔に挿入されているスリーブが、この孔の全長に亘って延伸している場合は、弦が固定プレートの素材に直接接触していないものの、音波が同じ方向に放出される領域で、この固定プレートの素材の吸音性も抑えられるため残響が改善され、倍音の共振動も一層改善される。
【００１７】
ギターまたはエレキベースで演奏可能な全ての音の音響特性を改善するため、可能であれば固定プレートの各孔内に本発明のスリーブを設置することが好ましい。
【００１８】
さらに、請求項５〜８に対応する改良型の固定プレートを設置したギター、特にエレキギターまたはエレキベースを示している。
【００１９】
上述の本方法は、本発明の素材にて構成された要素を既存の弦楽器に取り付けるか、それが不可能な場合は、固定装置自体を交換することにより、既存の弦楽器、ギターあるいはエレキベースに後から取り付ける場合に適している。これら２つの方法は、いずれも独自の構造を採用することで、極めて優れた音響特性を発揮する高価な弦楽器を購入する場合に比べ、はるかに低コストで入手可能な方法である。
【発明を実施するための最良の形態】
【００２０】
次に、添付の図面を参照しながら実施例を用いて本発明を詳細に説明する。
【００２１】
図面は、以下のようになっている。
【００２２】
図１は、エレキギターの概略図である。
【００２３】
図２は、図１の線II−IIに沿ったトレモロシステムブロックの概略断面図である。
【００２４】
図３は、図２と同様に、トレモロシステムブロックの実施例を裏側から見た部分の断面図である。
【００２５】
これらの図面では、同一または同じ効果が得られる構成要素に同一の番号を付している。
【００２６】
ここで、固定プレートとしてトレモロシステムブロックを装備したエレキギターを実施例として本発明を説明する。この実施例は、例示する目的のみで説明しているだけであり、本発明はこの用途に限定されるものではない。本発明は、特許請求の範囲に示されている範囲をすべて網羅している。
【００２７】
図１では、エレキギター１が三次元の概略図で示されている。エレキギター１は、ボディ２、ネック３およびヘッド４を備えている。ボディ２には、いわゆるトレモロシステムブロック５が取り付けられている。このトレモロシステムブロックには、エレキギター１の弦6a〜6fの一端が、詳細には図２および図３に基づいて後述する方法にて固定されている。各弦6a〜6fのもう一方の端部は、エレキギター１のヘッド４に取り付けられたペグポスト７に巻き取られており、この場合に、ペグポスト７は、ペグ８を回すと回転し、その回転によって弦6a〜6fの張力が調整され調弦できるようになっている。
【００２８】
本発明は、通常のエレキギターのトレモロシステムブロックとは異なる構造のトレモロシステムブロック５を提供することに関する。この構造の変更は、特に図２および図３から明らかである。
【００２９】
本トレモロシステムブロック５には、孔９が複数設けられており、これら孔のそれぞれに各弦6a〜6fがそれぞれ通されている。これら孔は、図１で見た場合に、その図面の水平方向に対し直角な方向に開口されており、弦6a〜6fは、トレモロシステムブロック５に固定されている端部に対して９０度の角度がつけられている。
【００３０】
弦6a〜6fの曲げられて前記孔に通された端部には、ボールエンドとしての太部10がそれぞれ設けられている。従来のエレキギターの場合、各弦6a〜6fは、この太部を経て、通常金属製であるトレモロシステムブロック５、厳密には孔９の縁部に直接固定されている。
【００３１】
本発明では、弦6a〜6fの端部の、この実施例では鋼製のトレモロシステムブロック５の素材と太部10との間の孔９内にスリーブ11が挿入されている。この実施例の場合、このスリーブ11は、セラミック材料製になっている。この構造にすることによって、弦6a〜6fの端部の太部10は、前記トレモロシステムブロックの金属に直接接触せず、むしろスリーブ11のセラミック材料と接触するようになる。弦6a〜6fにて生み出される音および音響の吸収性および伝導性は、スリーブ11のセラミック材料の方がトレモロシステムブロック５の金属より大幅に低い。このため、弾いた後も弦6a〜6fの振動が急激に減衰せず、長時間振動を続けるため、本改良型のトレモロシステムブロックを取り付けていない同構造のエレキギターに比べ、残響が大幅に改善される。
【００３２】
図２に示すスリーブ11は、従来のエレキギターの場合に弦6a〜6fの端部にある太部10がトレモロシステムブロックに接触しているが、本発明の場合は主にスリーブ11の素材にしか接触していない短いスリーブになっている。
【００３３】
図３は、孔９およびスリーブ11の変形例を表している。この図では、孔９が、図の下部に表されているトレモロシステムブロック５の端部に開けられた孔として表されている。この構成にすることによって、太部10を完全に受けることができる段部ができるため、図の下部に示されているトレモロシステムブロック５から太部10が突出しなくなる。さらに、この図のスリーブ11の長さは、孔９の全長に沿って延伸する構造になっている。このため、弦6a〜6fを弾いた際に発生する音響の吸収が一層低減し、結果的に残響が改善され、またギターの可聴倍音の響きも向上する。
【００３４】
特に、図２および図３で示した実施例のような本発明の改良型トレモロシステムブロック５に関しては、ここで例示した実施例に限定されず、多数の変形例や組み合わせが考えられる。この場合に、特に重要なのは、少なくともトレモロシステムブロック５の素材と、弦6a〜6fの端部にある太部10との間に、本発明の素材にて構成されたスリーブ11が挿入されている点である。
【００３５】
本発明の範囲は、実施例だけに限定されず特許請求の範囲のみで限定されるものであり、その適用範囲も特許請求の範囲に示されている。
【図面の簡単な説明】
【００３６】
【図１】エレキギターの概略図である。
【図２】図１の線II−IIに沿ったトレモロシステムブロックの概略断面図である。
【図３】図２と同様に、トレモロシステムブロックの実施例を裏側から見た部分の断面図である。
【符号の説明】
【００３７】
１    エレキギター
２    ボディ
３    ネック
４    ヘッド
５    トレモロシステムブロック
6a〜6f    弦
７    ペグポスト
８    ペグ
９    孔
10    太部
11    スリーブ
【図１】
2007537471.tif 000003
【図２】
2007537471.tif 000004
【図３】
2007537471.tif 000005
【国際調査報告】
2007537471.tif 000006
2007537471.tif 000007
2007537471.tif 000008
2007537471.tif 000009
2007537471.tif 000010
2007537471.tif 000011